(57)【要約】【課題】既存のメジャーに付設して用いることのできる鉛筆削り及び該鉛筆削りを付設したメジャーであって、鉛筆の挿入方向が建築現場で使いやすいようにできるものを提供すること。【解決手段】鉛筆挿入口２２ａに鉛筆を挿入する方向が底面２１ｂに平行な方向に近く、底面２１ｂが両面テープを用いてメジャーの平面部１１に取付できるメジャー付設用鉛筆削りを提供する。また、該メジャー付設用鉛筆削りを付設したメジャーを提供する。【選択図】図３
2019174141.tif 000002
【特許請求の範囲】
【請求項１】
底面と、
鉛筆を一方向から挿入する鉛筆挿入口を有する鉛筆削り本体とを備え、
前記一方向は、前記底面に平行な方向又は該平行な方向から前記底面に対して３０度以下下向きの方向であり、
前記底面は、１０ｍｍ２以上の面積を有し、直径２ｍｍの円を含む形状であり、直径４０ｍｍの円に内包されることを特徴とする、メジャー付設用鉛筆削り。
【請求項２】
前記底面を含み前記鉛筆削り本体を着脱可能に把持するケース部を含むことを特徴とする、請求項１に記載のメジャー付設用鉛筆削り。
【請求項３】
前記ケース部は、ゴム製であることを特徴とする、請求項２に記載のメジャー付設用鉛筆削り。
【請求項４】
前記底面に片面が付着した両面テープを備えることを特徴とする、請求項１〜３のいずれか１項に記載のメジャー付設用鉛筆削り。
【請求項５】
請求項１〜４のいずれか１項に記載のメジャー付設用鉛筆削りを付設され、
前記付設は、前記メジャーの側面の平面部に前記メジャー付設用鉛筆削りを付着するものであり、鉛筆を挿入する一方向がコンベックスの引出方向と逆方向又は該逆方向から３０度以下変位した方向であるように前記鉛筆挿入口を配したことを特徴とする、メジャー。
【請求項６】
請求項４に記載のメジャー付設用鉛筆削りを付設され、
前記付設は、前記両面テープの前記底面と反対側の面を前記メジャーの側面の平面部に付着したものであることを特徴とする、請求項５に記載のメジャー。
【発明の詳細な説明】
【技術分野】
【０００１】
本発明は、メジャーに付設して用いるメジャー付設用鉛筆削り、及び該メジャー付設用鉛筆削りを付設したメジャーに関する。
【背景技術】
【０００２】
建築現場では、鉛筆によって建築材料に寸法の印の線を描き、メジャーを用いて長さを計ることが行われる。ここで、鉛筆の芯は折れたり消耗したりするため、鉛筆を削るための鉛筆削りを持ち運ぶこととなる。メジャーと鉛筆削りとを別々に持ち運ぶことは煩雑となってしまう。
【０００３】
そこで、鉛筆削りを取り付けたメジャーが、特許文献１、２に開示されている。しかし、これらのメジャーには、以下の問題があった。（１）鉛筆を削る際の鉛筆の挿入方向が、建築現場で使いやすいように設計されたものではない。（２）メジャーと鉛筆削りとが一体のものとして設計されており、既存のメジャーに鉛筆削りを付設して用いるものではなく、既存のメジャーを活用するものではない
【先行技術文献】
【特許文献】
【０００４】
【特許文献１】実開昭５８−５７７０３号公報
【特許文献２】実開平０６−８６００３号公報
【発明の概要】
【発明が解決しようとする課題】
【０００５】
本発明は、既存のメジャーに付設して用いることのできる鉛筆削り及び該鉛筆削りを付設したメジャーであって、鉛筆の挿入方向が建築現場で使いやすいようにできるものを提供することを課題とする。
【課題を解決するための手段】
【０００６】
本発明のメジャー付設用鉛筆削りは、
底面と、
鉛筆を一方向から挿入する鉛筆挿入口を有する鉛筆削り本体とを備え、
前記一方向は、前記底面に平行な方向又は該平行な方向から前記底面に対して３０度以下下向きの方向であり、
前記底面は、１０ｍｍ２以上の面積を有し、直径２ｍｍの円を含む形状であり、直径４０ｍｍの円に内包されることを特徴とする。
【０００７】
この特徴によれば、既存のメジャーの有する平面にメジャー付設用鉛筆削りを付設して、鉛筆の挿入方向が建築現場で使いやすいようにすることができる。
【０００８】
本発明のメジャー付設用鉛筆削りは、
前記底面を含み前記鉛筆削り本体を着脱可能に把持するケース部を含むことを特徴とする。
【０００９】
この特徴によれば、既存の鉛筆削り本体とケースとを組み合わせてメジャー付設用鉛筆削りを構成することができる。
【００１０】
本発明のメジャー付設用鉛筆削りは、
前記ケース部は、ゴム製であることを特徴とする。
【００１１】
この特徴によれば、ケース部の弾力によって、メジャーが落下した場合にも鉛筆削り本体を保護することができる。
【００１２】
本発明のメジャー付設用鉛筆削りは、
前記底面に片面が付着した両面テープを備えることを特徴とする。
【００１３】
この特徴によれば、メジャー付設用鉛筆削りをメジャーの平面部に容易に付設する（取付ける）ことができる。
【００１４】
本発明のメジャーは、
本発明のメジャー付設用鉛筆削りを付設され、
前記付設は、前記メジャーの側面の平面部に前記メジャー付設用鉛筆削りを付着するものであり、鉛筆を挿入する一方向がコンベックスの引出方向と逆方向又は該逆方向から３０度以下変位した方向であるように前記鉛筆挿入口を配したことを特徴とする。
【００１５】
この特徴によれば、鉛筆の挿入方向が建築現場で使いやすいようにメジャー付設用鉛筆削りを付設したメジャーを提供することができる。
【００１６】
本発明のメジャーは、
底面に片面が付着した両面テープを備える本発明のメジャー付設用鉛筆削りを付設され、
前記付設は、前記両面テープの前記底面と反対側の面を前記メジャーの側面の平面部に付着したものであることを特徴とする。
【００１７】
この特徴によれば、鉛筆の挿入方向が建築現場で使いやすいようにメジャー付設用鉛筆削りを付設したメジャーを容易に提供することができる。
【発明の効果】
【００１８】
本発明によれば、既存のメジャーに付設して用いることのできる鉛筆削り及び該鉛筆削りを付設したメジャーであって、鉛筆の挿入方向が建築現場で使いやすいようにできるものを提供することができる。
【図面の簡単な説明】
【００１９】
【図１】図１は、既存のメジャーを示す図である。
【図２】図２は、従来技術の鉛筆削りを取り付けたメジャーを示す図である。
【図３】図３は、本発明のメジャーを示す図である。
【図４】図４は、鉛筆削りを示す図である。
【図５】図５は、鉛筆削りの本体部を示す図である。
【図６】図６は、鉛筆削りの上面、側面、底面を示す図である。
【図７】図７は、鉛筆挿入口の向きの変化を示す図である。
【図８】図８は、鉛筆削りの底面のバリエーションを示す図である。
【図９】図９は、鉛筆削りの底面の形状を示す図である。
【発明を実施するための形態】
【００２０】
以下、本発明の実施例を図面を参照して詳細に説明する。
【００２１】
図１は、既存のメジャーを示す図である。既存のメジャー１の多くは、図に示すように、外縁に平面部１１を有し、目盛の付されたコンベックス１２が内部に巻き込まれておりコンベックス１２を引き出して長さを測る。
【００２２】
既存のメジャー１には鉛筆削りが付設されていないので、鉛筆削り２を付設することが考えられる。図２は、従来技術の鉛筆削りを取り付けたメジャーを示す図である。
【００２３】
図２（Ａ）は、特許文献１に開示されたものに基づく図である。鉛筆削り２は、図の位置に取付けられ、鉛筆挿入口２２ａに向けては鉛筆を図において上方から（図中白抜き矢印の方向に）挿入する。
【００２４】
図２（Ｂ）は、特許文献２に開示されたものに基づく図である。鉛筆削り２は、メジャー１の内部に取付けられ、鉛筆挿入口２２ａに向けては鉛筆を図において上方から（図中白抜き矢印の方向に）挿入する。
【００２５】
以上のように、従来技術の鉛筆削りを取り付けたメジャーは、鉛筆挿入口２２ａに向けては鉛筆を図において上方から（図中白抜き矢印の方向に）挿入するものであった。
【００２６】
ここで、建築現場で使用する場面について検討する。メジャー１を左手に持ち、鉛筆を利き手である右手に持つ。（左利きの使用者では左手と右手が逆となるが、以下、右利きの使用者であるとして説明する。）
【００２７】
メジャーを持つ左手は、コンベックス１２の引出口を親指の側にして持つ。左手に持たれたメジャーに向けて右手に持たれた鉛筆を近づける時、左手の親指に向けて近づけるのが使いやすい。すなわち、鉛筆挿入口２２ａに向けて鉛筆を挿入する方向は、コンベックス１２の引出し方向と逆方向である（鉛筆挿入口２２ａがコンベックス１２の引出口と同方向である）ことで使いやすくなる。しかし、従来技術の鉛筆削りを取り付けたメジャーは、鉛筆挿入口２２ａの方向が異なっていた。
【００２８】
図３は、本発明のメジャーを示す図である。メジャー１の平面１１に鉛筆削り２が付設されている。鉛筆削り２は、略円柱形状であり、周縁に鉛筆挿入口２２ａが設けられている。鉛筆挿入口２２ａは、コンベックス１２の引出口と同方向に向いており、鉛筆をコンベックス１２に引出方向とは逆方向に（図中白抜き矢印の方向に）挿入する。鉛筆の挿入方向が建築現場で使いやすいものとなっている。
【００２９】
図４は、鉛筆削りを示す図である。鉛筆削り２は、ケース部２１と本体部２２とを備える。
【００３０】
ケース部２１は、本体部２２を着脱可能に把持し、その底面２１ｂをメジャー１の平面部１１に付着される部材である。両面テープによって付着する場合には、両面テープの片面を予め底面２１ｂに付着しておいてもよい。その際、他の面をシールで保護しておいてもよい。
【００３１】
図５は、鉛筆削りの本体部を示す図である。図５（Ａ）は上面側から見た斜視図、図５（Ｂ）は底面側から見た斜視図である。本体部２２は、鉛筆挿入口２２ａから鉛筆を挿入し、鉛筆を回転して刃２２ｃにより削る部材である。本体部２２は、広く用いられている鉛筆削りをそのまま使用することができる。広く用いられている鉛筆削りでは、本体部の底面２２ｂは、大きな面積を有さず細長く形成されている。
【００３２】
ケース部２１をゴム製とすることで、本体部２２を圧着して着脱可能に把持することができる。本体部２２は刃２２ｃが劣化するため、交換する必要がある。着脱可能であることにより、本体部２２の交換を可能とする。
【００３３】
また、ゴム製のケース部２１は、その弾力によって、メジャー１（鉛筆削り２を含む）が落下した場合にも本体部２２を保護することができる。
【００３４】
なお、本体部は、図４、図５のように側面視矩形の形状に限定されず、側面視円形などの任意の形状であってよい。また、ケース部２１と本体部２２とを一体成形してもよい。
【００３５】
図６は、鉛筆削りの上面、側面、底面を示す図である。図６（Ａ）に上面、図６（Ｂ）に側面、図６（Ｃ）に底面を示す。
【００３６】
図６（Ａ）及び図６（Ｂ）に示すように、鉛筆挿入口２２ａは略円柱状の鉛筆削り２の周縁にあり、鉛筆を挿入する方向は、ケース部２１の底面２１ｂに平行である。
【００３７】
図６（Ｃ）に示すように、ケース部２１の底面２１ｂは円形である。底面２１ｂを、例えば両面テープによってメジャー１の平面部１１に貼付することができる。なお、底面２１ｂは必ずしも円形でなくともよい。他の形については後述する。
【００３８】
ここで、底面２１ｂを平面部１１に貼付する（鉛筆削り２をメジャー１に付設する）時に、鉛筆挿入口２２ａをコンベックス１２の引出口と同方向に向けて貼付することで、図３に示したように、鉛筆の挿入方向を建築現場で使いやすいものとすることができる。
【００３９】
図７は、鉛筆挿入口の向きの変化を示す図である。鉛筆挿入口２２ａの向きを、コンベックス１２の引出口と同方向、かつ、底面２１ｂ（平面部１１）と平行な方向として説明したが、厳密にこの方向である必要はなく、多少の変化があっても使いやすさを保つことができる。
【００４０】
図７（Ａ）は、鉛筆削り２の図６（Ｂ）とは別の側面を示す。図６（Ａ）の下方、図６（Ｂ）の右方の側面である。鉛筆挿入口２２ａの向き（鉛筆の挿入方向、図中白抜き矢印の方向）は、底面２１ｂに対して下向きになる側には３０°まで変位してもよい。底面２１ｂに対して上向きになる側に変位するとメジャー１によって鉛筆の挿入が妨げられてしまうので、下向きになる側のみの変位が許容される。
【００４１】
図７（Ｂ）は、図６（Ａ）と同様に鉛筆削り２の上面を示す。底面２１ｂを平面部１１に貼付する時に、鉛筆挿入口２２ａをコンベックス１２の引出口と同方向に向けて貼付することとしたが、３０°までは変位してもよい。
【００４２】
図８は、鉛筆削りの底面のバリエーションを示す図である。図６（Ｃ）において底面２１ｂを円形としたが、他の形状であってもよい。底面２１ｂを平面部１１に両面テープで貼付した時に、鉛筆削り２がメジャー１から離脱せずに安定する形状であれば、いかなる形状であってもよい。係る形状の例を、図８（Ａ）〜図８（Ｄ）に示す。ここで、底面２１ｂを網掛けで明示している。
【００４３】
図８（Ａ）は、図６（Ｃ）と同様に底面２１ｂが円形のものである。
【００４４】
図８（Ｂ）は、底面２１ｂが円環上のものである。
【００４５】
図８（Ｃ）は、図８（Ｂ）に比して円環の太さが位置によって変化するものである。
【００４６】
図８（Ｄ）は、底面２１ｂが略矩形のものである。
【００４７】
図８（Ａ）〜図８（Ｄ）のいずれにおいても、底面２１ｂは、１０ｍｍ２以上の面積を有するものとする。両面テープによって平面部１１に貼付した場合の強度を備えるためである。
【００４８】
また、図８（Ｂ）及び図８（Ｃ）においては、円環の最大の太さＷを２ｍｍ以上とする。円環が細いことに起因して底面２１ｂが平面部１１から離脱してしまうことを防止するためである。
【００４９】
底面２１ｂは、図８（Ａ）〜図８（Ｄ）以外の形状であってもよいが、１０ｍｍ２以上の面積を有し、直径２ｍｍ（図８（Ｂ）及び図８（Ｃ）における円環の最大の太さＷに相当）の円を含む形状であるべきである。
【００５０】
この点、図５に示した広く用いられている鉛筆削りは、そのままでは本発明の鉛筆削りとして使用することができない。底面２２ｂが大きな面積を有さず細長く形成されているためである。
【００５１】
図９は、鉛筆削りの底面の形状を示す図である。図９（Ａ）は図８（Ａ）に、図９（Ｂ）は図８（Ｄ）に対応し、直径３０ｍｍの円Ｃ０及び直径４０ｍｍの円Ｃ１を描いたものである。
【００５２】
底面２１ｂは、直径４０ｍｍの円Ｃ１に内包される（全体が円Ｃ１の内部にある）。既存のメジャーにおいて、平面部１１は、小さい場合には直径４０ｍｍの円形である。底面２１ｂが直径４０ｍｍの円Ｃ１に内包されることで、本発明の鉛筆削り２は、すべての既存のメジャーについて、両面テープによって貼付することができる。
【００５３】
底面２１ｂは、直径３０ｍｍの円Ｃ０に内包されないことが好ましい。ある程度の大きさを有して鉛筆削りの位置をわかりやすくするためである。
【００５４】
図９（Ａ）においても、図９（Ｂ）においても、底面２１ｂは、直径４０ｍｍの円Ｃ１に内包され、直径３０ｍｍの円Ｃ０に内包されない。また、図８（Ｂ）及び図８（Ｃ）に示す円環状の底面２１ｂも、図９（Ａ）と同様に、直径４０ｍｍの円Ｃ１に内包され、直径３０ｍｍの円Ｃ０に内包されない。
【００５５】
以上詳細に説明したように、本発明の鉛筆削りは、すべての既存のメジャー１に両面テープによって貼付することができ、鉛筆を挿入する方向をコンベックス１２の引出方向と逆方向とすることができる。既存のメジャーに付設して用いることのできる鉛筆削り２であって、鉛筆の挿入方向が建築現場で使いやすいようにできるものが提供される。
【００５６】
また、本発明の鉛筆削り２を付設したメジャー１は、建築現場で使いやすいものとなる。
【産業上の利用可能性】
【００５７】
既存のメジャーに付設して用いることのできる鉛筆削り及び該鉛筆削りを付設したメジャーであって、鉛筆の挿入方向が建築現場で使いやすいようにできるものである。多くの建築業者及びメジャー製造者における利用が考えられる。
【符号の説明】
【００５８】
１      メジャー
１１    平面部
１２    コンベックス
２      鉛筆削り
２１    ケース部
２１ｂ  底面
２２    本体部
２２ａ  鉛筆挿入口
２２ｂ  底面
２２ｃ  刃
【図１】
2019174141.tif 000003
【図２】
2019174141.tif 000004
【図３】
2019174141.tif 000005
【図４】
2019174141.tif 000006
【図５】
2019174141.tif 000007
【図６】
2019174141.tif 000008
【図７】
2019174141.tif 000009
【図８】
2019174141.tif 000010
【図９】
2019174141.tif 000011